(57)【要約】      （修正有）【課題】デバーカー用アタッチメントに関し、山林の作業現場で木材の皮剥ぎ作業ができるようにする木材処理作業機を提供する。【解決手段】作業機のアーム先端部に取り付けられる着脱自在なアタッチメントであって、前記アーム先端部に取り付ける取り付け孔部を有する取着部１ａと、該取着部に該取着部を中心にして揺動自在に取り付けられるとともに、バケット両端側部に亘って架設される木皮剥ぎ取り用のロータ４を有するバケット本体１ｂとからなるデバーカー用アタッチメント１とするものである。【選択図】図１
0003172377.tif 000002
【実用新案登録請求の範囲】
【請求項１】
作業機のアーム先端部に取り付けられる着脱自在なアタッチメントであって、
前記アーム先端部に取り付ける取り付け孔部を有する取着部と、
前記取着部に該取着部を中心にして揺動自在に取り付けられるとともに、バケット両端側部に亘って架設される木皮剥ぎ取り用のロータを有するバケット本体とからなること、
を特徴とするデバーカー用アタッチメント。
【請求項２】
バケット本体は、取着部とピン結合され油圧シリンダーによって当該バケット本体がチルト運動すべく、アーム先端部と前記取着部との取付け方向に直交する方向の面内で揺動自在になっていること、  
を特徴とする請求項１に記載のデバーカー用アタッチメント。
【請求項３】
ロータは、複数軸で併設されており、かつ、モータの回転伝達機構により同方向に回転するものであること、
を特徴とする請求項１乃至２のいずれかに記載のデバーカー用アタッチメント。
【請求項４】
請求項１〜３に記載のデバーカー用アタッチメントをアーム先端に取り付けてなる移動自在な作業機であること、
を特徴とする木材処理作業機。
【考案の詳細な説明】
【技術分野】
【０００１】
本考案は、移動自在なクローラ付作業機のアーム先端に取り付けられ、木材等を皮むき処理するデバーカー用アタッチメントとそれを有する木材処理作業機に関するものである。
【背景技術】
【０００２】
従来、材木や廃材などを皮剥ぎ処理するデバーカー（皮はぎ機：debarker）として、特許文献１に記載されているように、メインロータとサブロータとをその間に夾雑物を排除する間隙を設けて配置し、前記メインロータの外周面に複数突設されたノッチで木材等を引っ掛けて処理し、前記メインロータで巻き上げられる木材を適宜処理する加工部を有する木材処理装置が知られている。この木材処理装置は、据え置き型の処理装置である。
【先行技術文献】
【特許文献】
【０００３】
【特許文献１】特開２００４−１５４９５６号公報
【考案の概要】
【考案が解決しようとする課題】
【０００４】
しかし、従来のデバーカーは、据え置き型であるために、その移動が自由自在でないことから、山林、竹林などの造成地現場や伐採現場において、木材等の処理作業をするのに直接的に使用できるものではない。よって、製紙用チップなどを製造する場合には、木材を山林地帯から街中にトラック輸送してから加工処理するので、運送コストが嵩むとともに木材の輸送効率が悪くなっている。
【０００５】
伐採現場で木皮の皮剥ぎを行い、その後にチッパー機で粉砕処理してチップをトラック輸送したほうが輸送コストの低減となるが、伐採現場での木皮の皮剥ぎをする適宜な機器装置が無いので、輸送コストの低減を図ることが出来ないという課題がある。本考案に係るデバーカー用アタッチメントと木材処理作業機は、このような課題を解決するために提案されたものである。
【課題を解決するための手段】
【０００６】
本考案に係るデバーカー用アタッチメントの上記課題を解決して目的を達成するための要旨は、作業機のアーム先端部に取り付けられる着脱自在なアタッチメントであって、前記アーム先端部に取り付ける取り付け孔部を有する取着部と、前記取着部に該取着部を中心にして揺動自在に取り付けられるとともに、バケット両端側部に亘って架設される木皮剥ぎ取り用のロータを有するバケット本体とからなることである。
【０００７】
前記バケット本体は、取着部とピン結合され油圧シリンダーによって当該バケット本体がチルト運動すべく、アーム先端部と前記取着部との取付け方向に直交する方向の面内で揺動自在になっていることである。
更に、前記ロータは、複数軸で併設されており、かつ、モータの回転伝達機構により同方向に回転するものであることを含むものである。
【０００８】
本考案に係る木材処理作業機は、前記デバーカー用アタッチメントをアーム先端に取り付けてなる移動自在な作業機であることである。
【考案の効果】
【０００９】
本考案のデバーカー用アタッチメントによれば、クローラ付で移動自在な作業機に取り付けられて、木材を処理するので、山林などの伐採現場で自由に移動して木材の皮剥ぎ処理ができるようになる。また、アタッチメントに皮剥ぎ用のロータなどを付加するだけで製作できて、低コストで移動用皮剥ぎ機を製作することができる。
このようなデバーカー用アタッチメントを作業機のアーム先端に取り付けることで、山林などの現場で木材の皮剥ぎができる移動自在な作業機を提供することができる。
【図面の簡単な説明】
【００１０】
【図１】本考案に係るデバーカー用アタッチメント１の平面図である。
【図２】同本考案のデバーカー用アタッチメント１で、アーム先端部に取り付けた状態の側面図である。
【図３】同本考案に係るデバーカー用アタッチメント１の斜視図である。
【図４】バケット本体におけるロータの刃を示す断面図である。
【図５】同バケット本体の3軸ロータの駆動伝達の様子を示す概略側面図である。
【考案を実施するための形態】
【００１１】
本考案に係るデバーカー用アタッチメント１は、移動式の木材用デバーカーとして、作業機のアーム先端部に取り付けられるバケット本体１ｂに、皮剥ぎ装置を取り付けたものである。
【実施例】
【００１２】
前記デバーカー用アタッチメント1は、図１乃至図２に示すように、クローラなどで自由に移動できる各種作業機のアーム２先端部に取り付けられる着脱自在なアタッチメントである。
【００１３】
前記アーム２先端部に取り付ける取付け孔部３を有するコ字形の筐体である取着部１ａと、前記取着部１ａに、該取着部１ａの取付け孔部３を中心にして揺動自在に取り付けられるとともに、バケット両端側部１ｃ，１ｄに亘って架設される木皮の皮剥ぎ装置であるロータ４を有するバケット本体１ｂとからなる。
【００１４】
前記バケット本体１ｂは、図１に示すように、前記取着部１ａにピン結合されるとともに油圧シリンダー５，５によって当該バケット本体１ｂがチルト運動すべく、アーム２先端部と前記取着部１ａとの取付け方向に直交する方向の面内で揺動自在になっている。
【００１５】
前記油圧シリンダー５，５の互いに相補的な伸縮により、図１に示すように、バケット本体１ｂが、ピン結合部１ｇを中心にして、バケット本体１ｂの正面側ａから見て、左右の両端側部１ｃ，１ｄが上下に揺動するものである。これにより、バケット本体１ｂに掬い上げて投入された木材を適宜に均すことができる。木皮を剥がす作業が滞ることなく効率的に行えるようになる。
【００１６】
前記ロータ４は、3軸で併設されており、かつ、バケット本体１ｂの片側側部に設けられるモータ（油圧モータ）６と、その油圧モータ６に駆動連結される回転伝達機構７により同方向に回転するものである。この回転伝達機構７は、チェーン・ベルトや遊び歯車の歯車機構などによるものであり、他の公知の伝達機構でもよい。また、前記ロータ４は、図示する3軸に限らず、2軸や４軸以上の複数軸でも良い。
【００１７】
前記ロータ４の外周面には、図３乃至図４に示すように、木皮を剥がすための爪４ａが突設されている。この爪４ａの刃の向きが一方向であるのでは、ロータ４が常に一方向に回転させるものであるからである。なお、バケット本体１ｂに投入された木材が、皮はぎの途中で互いに絡まって回転しずらくなった場合には、前記ロータ４，４，４を適宜に逆回転させることもある。
【００１８】
以上のようなデバーカー用アタッチメント１を作業機のアーム２先端部に取り付けることで、木材の集積や積み込みはもちろんのこと、木材の皮剥きもできるようになる。山林地帯でも作業機によって前記アタッチメントが移動が自由にできて、街中の木工場へ木材を運搬する前に伐採の現地で皮剥ぎを行うとともに、更にチップにして山林地帯から街中へ運搬するができるので、運搬費用が軽減され利益率が向上する。
【産業上の利用可能性】
【００１９】
本考案に係るデバーカー用アタッチメント１および木材処理作業機は、木材の皮剥ぎに限らず他の棒状体の皮剥ぎに利用することができるものである。
【符号の説明】
【００２０】
１          デバーカー用アタッチメント、            １ａ        取着部、
１ｂ        バケット本体、                          １ｃ，１ｄ  端側部、
１ｅ        油圧シリンダー、                        １ｆ        蓋部材、
２          アーム、
３          取付け孔部、
４          ロータ、                                ４ａ        爪、
５          油圧シリンダー、
６          油圧モータ、
７          回転伝達機構。
【図１】
0003172377.tif 000003
【図２】
0003172377.tif 000004
【図３】
0003172377.tif 000005
【図４】
0003172377.tif 000006
【図５】
0003172377.tif 000007